(57)【特許請求の範囲】
【請求項１】
ネットワークを介して接続される複数のサーバに対して特定の検索条件を送信すると共に、前記複数のサーバのそれぞれにおいて前記検索条件に対して得られた適合率の順で、コンテンツ情報を前記複数のサーバからそれぞれ前記複数のサーバの数に基づいて定まる指定件数ずつ受信する通信部と、
前記通信部で前記複数のサーバから受信した前記コンテンツ情報を、適合率に応じた順序で並んだ１つのコンテンツリストを作成する制御部と、
前記制御部が作成したコンテンツリストの特定範囲を表示する表示部とを有し、
前記制御部は、前記特定範囲に含まれるコンテンツ情報のうち、前記複数のサーバの一から受信したコンテンツ情報の数に応じて、
前記複数のサーバの一から新たに取得するコンテンツ情報の追加取得件数を決定し、
前記通信部は、前記複数のサーバの一から前記追加取得件数のコンテンツ情報を受信することを特徴とする検索端末。
【請求項２】
前記制御部は、前記特定範囲内のコンテンツ情報の内、前記複数のサーバの一から受信した適合度の最も低いコンテンツ情報の順位に応じて前記追加取得件数を決定すること
を特徴とする請求項１に記載の検索端末。
【請求項３】
ネットワークを介して接続される複数のサーバに対して特定の検索条件を送信すると共に、前記複数のサーバのそれぞれにおいて前記検索条件に対して得られた適合率の順で、コンテンツ情報を前記複数のサーバからそれぞれ前記複数のサーバの数に基づいて定まる指定件数ずつ受信する通信部と、
前記通信部で前記複数のサーバから受信した前記コンテンツ情報を、適合率に応じた順序で並んだ１つのコンテンツリストを作成する制御部と、
前記制御部が作成した前記コンテンツリストの特定範囲を表示する表示部とを有し、
前記制御部は、前記特定範囲に受信した前記指定件数分のコンテンツ情報がすべて含まれるサーバを追加のコンテンツ情報を取得する追加取得サーバに決定し、前記特定範囲に表示されるコンテンツ情報の数から、前記特定範囲に含まれる前記追加取得サーバから受信済みのコンテンツ情報のうち適合率の最も低いコンテンツ情報の前記コンテンツリストにおける順位を減じた数を追加取得件数に決定し、
前記通信部は、前記追加取得サーバから追加のコンテンツ情報を前記追加取得件数分取得し、
前記制御部は、前記追加取得サーバから前記追加のコンテンツ情報を取得後に、コンテンツリストを作成し、前記表示部に表示させることを特徴とする検索端末。
【請求項４】
前記通信部は、前記適合率としてコンテンツの視聴回数に基づいた数値を用いることを特徴とする請求項１又は３に記載の検索端末。
【請求項５】
前記通信部は、前記適合率としてコンテンツの視聴回数に基づいた数値を用い、未視聴のコンテンツに関して適合率を再設定することを特徴とする請求項１又は３に記載の検索端末。
【請求項６】
前記通信部は、連続ものの複数のコンテンツに対して、未視聴のコンテンツの時間的順序に基づいて前記複数のコンテンツそれぞれに前記適合率を決定することを特徴とする請求項１又は３に記載の検索端末。
【請求項７】
前記通信部は、前記検索条件として文字列を用い、前記適合率として前記検索結果と前記文字列との予め定められた文字順序に応じた値を用いることを特徴とする請求項１又は３に記載の検索端末。
【請求項８】
前記通信部は、前記適合率として前記検索端末利用者の識別情報に基づいた数値を用いることを特徴とする請求項１又は３に記載の検索端末。
【請求項９】
前記制御部は、取得した前記コンテンツを前記適合率に基づいてグループ化することを特徴とする請求項１又は３に記載の検索端末。
【請求項１０】
コンテンツ情報を記憶し、受信した検索条件に対するコンテンツ情報の適合率を算出する複数のサーバと、
前記複数のサーバにネットワークを介して特定の検索条件を送信すると共に、前記複数のサーバのそれぞれにおいて前記検索条件に対して得られた適合率の順で、コンテンツ情報を前記複数のサーバからそれぞれ前記複数のサーバの数に基づいて定まる指定件数ずつ受信し、受信した前記コンテンツ情報を、適合率に応じた順序で並んだ１つのコンテンツリストを作成するとともに、作成したコンテンツリストの特定範囲を表示部に表示する検索端末とを有するネットワーク検索システムであって、
前記検索端末は、前記特定範囲に含まれるコンテンツ情報のうち、前記複数のサーバの一から受信したコンテンツ情報の数に応じて、前記複数のサーバの一から新たに取得するコンテンツ情報の追加取得件数を決定し、前記複数のサーバの一から前記追加取得件数のコンテンツ情報を受信することを特徴とするネットワーク検索システム。
【発明の詳細な説明】
【技術分野】
【０００１】
本発明は、ネットワーク上におけるコンテンツ検索を実行可能な検索端末およびネットワーク検索システムに関し、特にネットワーク上の複数のサーバより所望のコンテンツを効率よく検索可能な検索端末およびネットワーク検索システムに関する。
【背景技術】
【０００２】
従来の技術として、案内サーバにより端末の要求を満たすコンテンツを有するサービスサーバを端末に紹介するネットワーク検索システムがある（例えば、特許文献１）。
【０００３】
このネットワーク検索システムによると、案内サーバは、端末より要求を受信することにより、要求に該当するコンテンツを有するサービスサーバを端末へ紹介する。端末は、紹介されたサービスサーバにアクセスして、サービスサーバより直接さらに詳細な情報を取得して所望のコンテンツへアクセスするため、ネットワーク全体を詳細検索する必要がなくなり、検索に要する時間が短縮できる。また、一度に膨大な検索結果を受信せずに済むため、記憶容量の限られた携帯型の端末において検索実行が可能となる。
【特許文献１】特開平０９−３０５５１７号公報
【発明の開示】
【発明が解決しようとする課題】
【０００４】
しかし、従来のネットワーク検索システムによると、複数のサービスサーバを紹介された場合、端末が最初にアクセスしたサービスサーバに必ずしも最も要求に近いコンテンツが存在するとは限らない。そのような場合、端末が残りのサービスサーバに順々にアクセスしなければならないため、所望のコンテンツを検索する効率が低下する。一方、端末が一度に複数のサービスサーバからコンテンツを受信することも考えられるが、そうすると端末のメモリ容量が不足したり、その表示に時間がかかったりすることがあった。
【０００５】
従って、本発明の目的は、メモリ消費量の増加を抑えつつ、複数のサーバより所望のコンテンツを効率よく検索可能な検索端末およびネットワーク検索システムを提供することにある。
【課題を解決するための手段】
【０００６】
（１）本発明は上記目的を達成するため、ネットワークを介して接続される複数のサーバに対して特定の検索条件を送信すると共に、前記複数のサーバのそれぞれにおいて前記検索条件に対して得られた適合率の順で、コンテンツ情報を前記複数のサーバからそれぞれ前記複数のサーバの数に基づいて定まる指定件数ずつ受信する通信部と、前記通信部で前記複数のサーバから受信した前記コンテンツ情報を、適合率に応じた順序で並んだ１つのコンテンツリストを作成する制御部と、前記制御部が作成したコンテンツリストの特定範囲を表示する表示部とを有し、前記制御部は、前記特定範囲に含まれるコンテンツ情報のうち、前記複数のサーバの一から受信したコンテンツ情報の数に応じて、前記複数のサーバの一から新たに取得するコンテンツ情報の追加取得件数を決定し、前記通信部は、前記複数のサーバの一から前記追加取得件数のコンテンツ情報を受信することを特徴とする検索端末を提供する。
【０００７】
このような構成によれば、サーバ側で検索条件に基づいてコンテンツを適合率に応じた順序で並べ替え、検索端末上で統合したものを並び替えることにより、最小限のコンテンツ取得で所望のコンテンツを取得できるため、メモリ容量不足が生じることなく、表示にも処理時間を要さず、表示部に表示するのに必要最小限のコンテンツ取得で所望のコンテンツを取得可能で、追加取得を実行することによりコンテンツ検索精度が向上する。
【０００８】
（２）また、本発明は上記目的を達成するため、ネットワークを介して接続される複数のサーバに対して特定の検索条件を送信すると共に、前記複数のサーバのそれぞれにおいて前記検索条件に対して得られた適合率の順で、コンテンツ情報を前記複数のサーバからそれぞれ前記複数のサーバの数に基づいて定まる指定件数ずつ受信する通信部と、前記通信部で前記複数のサーバから受信した前記コンテンツ情報を、適合率に応じた順序で並んだ１つのコンテンツリストを作成する制御部と、前記制御部が作成した前記コンテンツリストの特定範囲を表示する表示部とを有し、前記制御部は、前記特定範囲に受信した前記指定件数分のコンテンツ情報がすべて含まれるサーバを追加のコンテンツ情報を取得する追加取得サーバに決定し、前記特定範囲に表示されるコンテンツ情報の数から、前記特定範囲に含まれる前記追加取得サーバから受信済みのコンテンツ情報のうち適合率の最も低いコンテンツ情報の前記コンテンツリストにおける順位を減じた数を追加取得件数に決定し、前記通信部は、前記追加取得サーバから追加のコンテンツ情報を前記追加取得件数分取得し、前記制御部は、前記追加取得サーバから前記追加のコンテンツ情報を取得後に、コンテンツリストを作成し、前記表示部に表示させることを特徴とする検索端末を提供する。
【０００９】
このような構成によれば、（１）の効果に加え、コンテンツの配置位置に応じて追加取得サーバを決定するため、コンテンツの正確な順序表示が可能となる。
【００１０】
（３）また、本発明は上記目的を達成するため、コンテンツ情報を記憶し、受信した検索条件に対するコンテンツ情報の適合率を算出する複数のサーバと、前記複数のサーバにネットワークを介して特定の検索条件を送信すると共に、前記複数のサーバのそれぞれにおいて前記検索条件に対して得られた適合率の順で、コンテンツ情報を前記複数のサーバからそれぞれ前記複数のサーバの数に基づいて定まる指定件数ずつ受信し、受信した前記コンテンツ情報を、適合率に応じた順序で並んだ１つのコンテンツリストを作成するとともに、作成したコンテンツリストの特定範囲を表示部に表示する検索端末とを有するネットワーク検索システムであって、前記検索端末は、前記特定範囲に含まれるコンテンツ情報のうち、前記複数のサーバの一から受信したコンテンツ情報の数に応じて、前記複数のサーバの一から新たに取得するコンテンツ情報の追加取得件数を決定し、前記複数のサーバの一から前記追加取得件数のコンテンツ情報を受信することを特徴とするネットワーク検索システムを提供する。
【００１１】
このような構成によれば、（１）の効果を有するネットワーク検索システムが実現可能となる。
【発明の効果】
【００１６】
本発明によれば、ネットワーク上より効率よくコンテンツを検索できる。
【発明を実施するための最良の形態】
【００１７】
以下に、本発明のネットワーク検索システムの実施の形態例を、図面を参照して詳細に説明する。
【００１８】
〔第１の実施の形態例〕
（ネットワーク検索システムの構成）
図１は、第１の実施の形態例に関するネットワーク検索システムの概略構成図である。
【００１９】
ネットワーク検索システム１は、コンテンツの検索機能を有する検索端末１０と、コンテンツを記憶可能なサーバＡ２０Ａ、サーバＢ２０Ｂ、およびサーバＣ２０Ｃとを有し、それぞれはＬＡＮネットワーク３０によって接続されており、互いに通信が可能である。
【００２０】
（検索端末の構成）
図２は、第１の実施の形態例に関する検索端末１０の概略構成図である。
【００２１】
制御部１０１は、操作部１０２の操作に従って各部に命令を送信し、バス１０９を介して各部の信号処理を行い統括的に制御する。また、表示部１０１は、サーバＡ２０Ａ乃至サーバＣ２０Ｃから受信したコンテンツ情報に基づいてコンテンツリストを作成し、表示部１０６に表示させる機能を有する。この処理については後述する。尚、ここでコンテンツ情報とは、コンテンツデータに係るメタデータであって、タイトル情報やＥＰＧの番組説明、録画時間、ジャンル等の情報を指すものとする。またコンテンツリストとは、コンテンツ情報を複数まとめたものを指すものとする。
【００２２】
操作部１０２は、検索端末１０に設けられる図示しない各スイッチやリモコン等の操作に応じた操作信号を制御部１０１に出力する。
【００２３】
メモリ１０３は、処理中のファイルを一時的に記憶し、各部でのデータ処理を補助する。また、サーバＡ２０Ａ乃至サーバＣ２０Ｃからコンテンツ情報を受信した際には、当該メモリ１０３に当該コンテンツ情報が記憶される。
【００２４】
記憶部１０４は、検索端末１０を動作させるためのファームウエア、映像、音声等のコンテンツの管理に必要な管理データ、再生および制御に必要なプログラム、そして映像等のコンテンツデータを記憶する。
【００２５】
再生部１０５は、圧縮されたコンテンツデータをデコードして変換し、変換された映像信号や音声信号を表示部１０６および音声出力部１０７へと出力する。
【００２６】
表示部１０６は、図示しない表示駆動回路およびバックライトＬＣＤ等を含み、画像表示を制御する。表示部１０６は、再生部１０５から出力されたコンテンツデータの再生信号に基づいて動画像表示等を行うと共に、制御部１０１が作成したコンテンツリストの表示も行う。
【００２７】
音声出力部１０７は、再生部１０５でデコードされ出力された音声信号に基づいて、音声を出力する。
【００２８】
通信部１０８は、ＬＡＮネットワーク３０と接続され、当該ＬＡＮネットワーク３０を介して、ケーブルでサーバＡ２０Ａ乃至サーバＣ２０Ｃ外部機器と情報を送受信する。例えば、サーバＡ２０Ａ乃至サーバＣ２０Ｃに対する、検索条件を指定した検索要求は通信部１０６が送信する。また、各サーバＡ２０Ａ乃至各サーバＣ２０Ｃからの応答であるコンテンツ情報も、通信部１０６が受信する。
【００２９】
（サーバの構成）
図３は、第１の実施の形態例に関するサーバＡの概略構成図である。なお、サーバＢおよびサーバＣに関しても同様の構成を有するものとする。
【００３０】
制御部２０１は、操作部２０２の操作に従って各部に命令を送信し、バス２０７を介して各部の信号処理を行い統括的に制御する。また制御部２０１は、検索端末１０から検索条件を指定した検索要求を受信した場合には、当該検索条件に従い、記憶部２０５に記憶されたコンテンツに対して其々適合率を算出する機能も有する。算出した当該適合率の高い順に、指定された順位から指定件数分のコンテンツに係るコンテンツ情報を、検索要求に対する応答として通信部２０６から検索端末１０に送信する。
【００３１】
操作部２０２は、サーバＡ２０Ａに設けられる複数のスイッチやリモコン等からなり、その操作に応じた操作信号を制御部２０１に出力する。
【００３２】
メモリ２０３は、処理中のファイルを一時的に記憶し、各部でのデータ処理を補助する。
【００３３】
再生部２０４は、記憶部２０５から読み込んだコンテンツを必要に応じ所定の符号化方式にエンコードする機能を有する。記憶部２０５から読み込んだコンテンツは、通信部２０６がＬＡＮネットワーク３０を介して検索端末１０に送信する。検索端末１０は通信部１０８で当該コンテンツデータを受信し、これを再生部１０５がデコードすることにより、表示部１０６および音声出力部１０７で映像及び音声が出力される。
【００３４】
記憶部２０５は、サーバ２０Ａを動作させるためのファームウエア、コンテンツの管理に必要な管理データ、ファイル制御に必要なプログラム、そして映像、音声等のコンテンツデータを記憶する。
【００３５】
通信部２０６は、ＬＡＮネットワーク３０を介して検索端末１０等の機器と接続され、外部機器と情報を送受信する。例えば、検索端末１０からの、検索条件を指定した検索要求は通信部２０６が受信する。また、それに対する応答であるコンテンツ情報も、通信部２０６が検索端末１０に送信する。
【００３６】
（動作）
以下に、第１の実施の形態例におけるネットワーク検索システムの動作を図１から図８を参照しつつ説明する。
【００３７】
検索端末１０は、検索条件をサーバＡ２０Ａ〜サーバＣ２０Ｃに対して送信し、当該検索条件に応じたコンテンツ情報のリストをそれぞれのサーバから受信して、当該リストを１つのコンテンツリストに統合した上で表示部１０６に表示する。ユーザは操作部１０２を操作して、当該コンテンツリスト内の項目を選択することにより、選択したコンテンツをサーバから受信し、表示部１０６および音声出力部１０７で視聴することができる。
【００３８】
（適合率）
各サーバは、検索条件に基づくリストを作成する際に、以下に説明する適合率を用いてコンテンツの並べ替えを行う。
【００３９】
図４（ａ）〜（ｃ）は、第１の実施の形態例における検索条件に対する適合率の例を示す概略図である。
【００４０】
検索条件に合致するコンテンツがタイトル１〜７まで存在する場合には、例えば図４（ａ）に示すように、視聴回数が多いものほど適合率が高くなるよう数値を設定すれば良い。
【００４１】
或いは、未視聴のコンテンツの優先順位が高くなるように、例えば図４（ｂ）に示すように、適合率を算出しても良い。
【００４２】
検索条件に合致するコンテンツが６つ存在し、それぞれのコンテンツに時間的な関連性がある場合、例えばドラマ等の連続もの、およびシリーズものに関しては、図４（ｃ）に示すように、未視聴の回の時間的に最も古いものに関して高い適合率を設定し、それ以前の回に関しては時間的順序等に従って適合率を設定し、それ以降の回に関しては低い適合率を設定しても良い。
【００４３】
なお、図４（ａ）〜（ｃ）に記載した適合率に関しては条件に従っていれば任意の値を設定して構わない。また、コンテンツの種類から検索端末１０が自動で、以上に説明した適合率設定方法から選択しても、ユーザーが適合率設定方法を選択できるようにしてもよい。
【００４４】
（コンテンツリストの取得）
図５Ａは、第１の実施の形態例に関する検索端末の初期検索動作を示す概略図である。尚、図５Ａ、図５Ｂ、図７において、「Ａ１」とは、サーバＡ２０Ａに格納されたコンテンツデータのコンテンツ情報であって、適合度が１番高いものを指す。同様に例えば「Ｃ４」であれば、サーバＣ２０Ｃに格納されたコンテンツデータのコンテンツ情報であって、適合度が４番目に高いものであるとする。
【００４５】
検索端末１０の表示部１０６には、コンテンツリストの表示が最大となる表示領域がある。そのときの表示件数をＮとし、例えば本第１の実施の形態例においては表示件数を７件とする。サーバ数Ｍは、サーバ２０Ａ〜２０Ｃの３台であり、コンテンツ情報の初期検索件数ａをサーバ１台当たり４件とすれば、コンテンツ情報の総取得件数ａ×Ｍは、４×３で１２件となり、取得件数が表示件数より多くなる。尚、検索端末１０は、各サーバＡ２０Ａ乃至Ｃ２０Ｃから、検索結果であるコンテンツ情報と共に、其々のコンテンツ情報に係る適合度も合わせて取得する。検索端末１０は、取得したコンテンツ情報を１つのコンテンツリストとして統合（マージ）し、それを適合率順に並べる。
【００４６】
図５Ｂ（ａ）〜（ｂ）は、第１の実施の形態例に関する検索端末の初期検索の補足動作を示す概略図である。
【００４７】
図５Ａに示す初期検索動作の結果が、図５Ｂ（ａ）のようになった場合、例えば、表示件数Ｎ内にサーバＣ２０Ｃから取得したコンテンツ情報Ｃ１〜Ｃ４がすべて含まれた場合は、Ｃ４が全体で５番目に適合率が高いため、サーバＣ２０Ｃに格納されているＣ５、Ｃ６が表示領域に加わる可能性がある。そのため、検索端末１０は、サーバＣ２０Ｃに対してコンテンツ情報を２件追加取得する要求を発信する。
【００４８】
次に、図５Ｂ（ｂ）に示すように、サーバＣ２０ＣよりＣ５、Ｃ６を検索結果として取得し、コンテンツリストの並び替えを再度行うことにより、表示領域内のコンテンツ情報について、正しい順序でコンテンツリストを表示することができるようになる。
【００４９】
図６Ａおよび図６Ｂは、第１の実施の形態例に関する検索端末の検索動作を示すフローチャートである。
【００５０】
まず、検索端末１０において検索条件を設定する（Ｓ１０）。次に、検索端末１０の表示部１０６に表示可能な表示件数Ｎを取得する（Ｓ１１）。当該件数は、予め設定されていても良いし、ユーザに設定させても良い。次に、ＬＡＮネットワーク３０上に存在するサーバの数Ｍを取得する（Ｓ１２）。次に、収集するコンテンツ情報数が表示件数Ｎを下回らないように、ａ×Ｍ＞Ｎを満たす初期検索件数ａを決定する（Ｓ１３）。
【００５１】
各サーバに対してコンテンツの検索条件を送信し、各サーバ上のコンテンツを検索条件に基づいて図４に示した適合率順に並べ替えするよう要求する（Ｓ１４）。次に、並べ替えの完了した各サーバ上のコンテンツの上位より初期検索件数ａ件のコンテンツ情報を取得する（Ｓ１５）。すべてのサーバにおいてＳ１４およびＳ１５を繰り返し（Ｓ１６；Ｎｏ）、すべてのサーバにおいて処理が終了したら（Ｓ１６；Ｙｅｓ）、検索端末１０上において作成したコンテンツリストを適合率順に並べ替える（Ｓ１７）。
【００５２】
次に、あるサーバを選択して、当該サーバの取得済みコンテンツ情報が表示件数Ｎ以内、図５Ｂ（ａ）に示す表示領域にすべて含まれている場合（Ｓ１８；Ｙｅｓ）、該当するサーバより不足する最大コンテンツ数（Ｎ−〈最後の検索結果位置〉）を追加取得件数として追加取得する（Ｓ１９）。表示件数Ｎ以内にコンテンツがすべて含まれていない場合（Ｓ１８；Ｎｏ）、Ｓ１９をスキップして実行しない。
【００５３】
すべてのサーバにおいて、Ｓ１８、およびＳ１９を繰り返し（Ｓ２０；Ｎｏ）、すべてのサーバにおいて処理が終了すると（Ｓ２０；Ｙｅｓ）、検索端末１０が作成したコンテンツリストを適合率に基づいて並び替える（Ｓ２１）。
【００５４】
図７（ａ）〜（ｂ）は、第１の実施の形態例に関する検索端末の表示領域変更後の検索動作を示す概略図である。
【００５５】
検索端末１０の操作部１０２をユーザーが操作し、表示領域を図７（ａ）の状態へ移動させた場合、サーバＡ２０Ａ乃至サーバＣ２０Ｃの其々に対して何件のコンテンツ情報を要求するかを特定する。即ち、検索端末１０は、例えばＡ４、Ｂ４、およびＣ４より下位のコンテンツ情報が何件必要かを特定し、それぞれ追加取得件数ａ１、ｂ１、およびｃ１件を追加で取得できるよう各サーバへ追加要求を送信する。
【００５６】
次に、図７（ｂ）に示すように、各サーバは追加取得件数ａ１、ｂ１、およびｃ１件分のコンテンツ情報を検索結果として検索端末１０へと送信し、検索端末１０は受信したコンテンツ情報を統合してコンテンツリストを作成し、これを適合率に従って並べ替える。
【００５７】
図８は、第１の実施の形態例に関する検索端末の追加検索動作を示すフローチャートである。
【００５８】
まず、図７（ａ）に示すように、操作部１０２をユーザーが操作して、表示領域を設定する（Ｓ３１）。あるサーバの取得済みコンテンツ情報がすべて表示領域に含まれている場合（Ｓ３２；Ｙｅｓ）、該当するサーバより不足する最大コンテンツ数（Ｎ−〈最後の検索結果位置〉）を追加取得件数として追加取得する（Ｓ３３）。表示領域に取得済みのコンテンツ情報がすべて含まれていない場合（Ｓ３２；Ｎｏ）、Ｓ３３をスキップして実行しない。
【００５９】
すべてのサーバにおいて、Ｓ３２、およびＳ３３を繰り返し（Ｓ３４；Ｎｏ）、すべてのサーバにおいて処理が終了すると（Ｓ３４；Ｙｅｓ）、検索端末１０が取得したコンテンツリストを適合率に基づいて並び替える（Ｓ３５）。
【００６０】
（第１の実施の形態例の効果）
上記した第１の実施の形態例によると、各サーバに対して並べ替えを要求し、表示領域に応じてコンテンツ情報を各サーバより取得しているため、各サーバに多数のコンテンツデータが格納されている場合であっても、受信する検索端末の記憶容量が比較的小さくてもコンテンツリストを表示させることが可能である。また、一度に受信するコンテンツ情報の容量が小さいため、コンテンツ検索および表示の速度向上となる。
【００６１】
また、表示領域を変更した場合にも、表示領域内を表示するために必要最小限の件数のコンテンツ情報を取得するため、メモリ容量の経済性、および取得速度および表示速度が向上する。
【００６２】
適合率として視聴回数を用いることにより、ユーザーの嗜好に沿ったコンテンツを検索可能となる。
【００６３】
なお、検索端末１０は、複数のサーバよりコンテンツ情報ではなく、直接コンテンツを受信してもよい。
【００６４】
なお、ＬＡＮネットワーク３０、通信部１０８、および通信部２０６は、相互に通信可能なものであれば、有線のＬＡＮだけでなく、無線ＬＡＮ（Ｌｏｃａｌ  Ａｒｅａ  Ｎｅｔｗｏｒｋ）等を使用しても良い。
【００６５】
〔第２の実施の形態例〕
図９（ａ）〜（ｂ）は、第２の実施の形態例における検索条件に対する適合率の例を示す概略図である。なお、以下の説明において、第１の実施の形態例と同一の構成および機能を有する部分については共通の符号を付している。
【００６６】
コンテンツに付随するタイトル名やジャンル、および出演者等を示す文字情報を基にコンテンツ検索する場合で、例えば「か」を検索文字列として検索する場合は、図９（ａ）に示すように、コンテンツの一文字目に関して文字の順序に応じた数値を適合率に設定する。
【００６７】
例えば「あ」を検索文字列として検索した場合は、図９（ｂ）に示すような順序で検索結果が表示され、検索結果それぞれに対する適合率は同図に示す通りである。
【００６８】
なお、図９（ａ）〜（ｂ）に記載した適合率に関しては設定条件に従っていれば任意の値を設定して構わない。また、コンテンツの種類から検索端末１０が自動で、以上の適合率設定方法から選択しても、ユーザーが適合率設定方法を選択できるようにしてもよい。
【００６９】
また、文字列は二文字以上でもよく、文字列の各文字について、同様の適合率を設定し、それらの組み合わせで適合率を算出するものとする。
【００７０】
（第２の実施の形態例の効果）
上記した実施の形態によると、検索条件として文字列を使用することができるため、詳細なコンテンツ検索が可能となる。
【００７１】
なお、第１の実施の形態例に示した視聴回数による適合率の計算と組み合わせて適合率を算出することにより、より高度なコンテンツ検索が可能となる。
【００７２】
〔第３の実施の形態例〕
図１０（ａ）〜（ｂ）は、第２の実施の形態例における検索条件に対する適合率の例を示す概略図である。
【００７３】
視聴回数を検索条件にコンテンツ検索を行う場合、図１０（ａ）に示すように、適合率に応じたグループ分けをする。例えば、未視聴のコンテンツ、お好みのコンテンツ、および視聴済みのコンテンツに振り分ける場合は、適合率１０のものを未視聴コンテンツフォルダへ、適合率２〜９のものは複数回視聴をしているのでお好みフォルダへ、適合率１のものを視聴済みフォルダへと振り分ける。
【００７４】
検索端末１０のユーザーが複数人いる場合は、図１０（ｂ）に示すように、ユーザーごとにコンテンツの視聴状況を保存する。適合率の数値設定は第１の実施の形態例に示す視聴回数を用いるものとする。
【００７５】
（第３の実施の形態例の効果）
上記した実施の形態によると、適合率に応じたグループ分けを実行するため、所望のコンテンツを容易に検索可能となる。
【００７６】
また、利用者ごとにコンテンツの視聴状態を保存するため、より正確なコンテンツ検索が可能となる。
【図面の簡単な説明】
【００７７】
【図１】第１の実施の形態例に関するネットワーク検索システムの概略構成図である。
【図２】第１の実施の形態例に関する検索端末の概略構成図である。
【図３】第１の実施の形態例に関するサーバＡの概略構成図である。
【図４】（ａ）〜（ｃ）は、第１の実施の形態例における検索条件に対する適合率の例を示す概略図である。
【図５Ａ】第１の実施の形態例に関する検索端末の初期検索動作を示す概略図である。
【図５Ｂ】（ａ）、（ｂ）は、第１の実施の形態例に関する検索端末の初期検索の補足動作を示す概略図である。
【図６Ａ】第１の実施の形態例に関する検索端末の検索動作を示すフローチャートである。
【図６Ｂ】第１の実施の形態例に関する検索端末の検索動作を示すフローチャートである。
【図７】（ａ）、（ｂ）は、第１の実施の形態例に関する検索端末の表示領域変更後の検索動作を示す概略図である。
【図８】第１の実施の形態例に関する検索端末の追加検索動作を示すフローチャートである。
【図９】（ａ）、（ｂ）は、第２の実施の形態例における検索条件に対する適合率の例を示す概略図である。
【図１０】（ａ）、（ｂ）は、第２の実施の形態例における検索条件に対する適合率の例を示す概略図である。
【符号の説明】
【００７８】
１…ネットワーク検索システム、１０…検索端末、２０Ａ…サーバＡ、２０Ｂ…サーバＢ、２０Ｃ…サーバＣ、３０…ＬＡＮネットワーク、１０１…制御部、１０２…操作部、１０３…メモリ、１０４…記憶部、１０５…再生部、１０６…表示部、１０７…音声出力部、１０８…通信部、１０９…バス、２０１…制御部、２０２…操作部、２０３…メモリ、２０４…再生部、２０５…記憶部、２０６…通信部、２０７…バス
【図１】
0004768525.tif 000002
【図２】
0004768525.tif 000003
【図３】
0004768525.tif 000004
【図４】
0004768525.tif 000005
【図５Ａ】
0004768525.tif 000006
【図５Ｂ】
0004768525.tif 000007
【図６Ａ】
0004768525.tif 000008
【図６Ｂ】
0004768525.tif 000009
【図７】
0004768525.tif 000010
【図８】
0004768525.tif 000011
【図９】
0004768525.tif 000012
【図１０】
0004768525.tif 000013